(57)【特許請求の範囲】
【請求項１】
膀胱癌患者の予後を予測するための方法であって、
前記患者由来の膀胱癌組織試料におけるＤＪ−１タンパク質の発現を検出する工程を備え、
前記試料中の腫瘍細胞の核におけるＤＪ−１タンパク質の発現が、対照と比較して低下していたことが、前記患者の予後が不良であることを示す、方法。
【請求項２】
前記試料中の腫瘍細胞の核におけるＤＪ−１タンパク質の発現が、対照と比較して低下しており、且つ前記試料中の腫瘍細胞の細胞質におけるＤＪ−１タンパク質の発現が、対照と比較して増加していたことが、前記患者の予後が不良であることを示す、請求項１に記載の方法。
【発明の詳細な説明】
【技術分野】
【０００１】
本発明は、尿路上皮癌診断薬及びその使用に関する。より具体的には、尿路上皮癌診断薬、生体試料の判定方法及び膀胱癌患者の予後を予測する方法に関する。
【背景技術】
【０００２】
膀胱癌は、近年増加傾向にある上皮性悪性腫瘍であり、罹患率及び死亡率が高い腫瘍である。膀胱癌には、尿路上皮癌、腺癌、扁平上皮癌、小細胞癌等の様々な組織型があるが、中でも尿路上皮癌が最も多い。尿路上皮癌は、非筋層浸潤性膀胱癌（ＮＭＩＵＣ）と筋層浸潤性膀胱癌（ＭＩＵＣ）とに分類される。
【０００３】
膀胱癌の約８０％は腫瘍が上皮に限局するＮＭＩＵＣであり、残りの約２０％は腫瘍が筋層浸潤しているＭＩＵＣである。ＮＭＩＵＣの治療法は膀胱内化学療法と内視鏡的切除であり、ＭＩＵＣは外科的切除や放射線治療、抗癌剤による治療が一般的である。
【０００４】
しかしながら、尿路上皮癌は再発率が高く、頻回の再発によりＮＭＩＵＣからＭＩＵＣへの進行を認める。このため、ＮＭＩＵＣを早期に発見することは、患者の予後のためにも重要である（例えば、非特許文献１を参照）。
【０００５】
現在、尿路上皮癌の標準的な診断方法は、膀胱鏡検査と尿細胞診である。しかしながら、膀胱鏡検査は侵襲的で比較的高価な検査であり、上皮内癌等の平坦病変の検出感度は低いうえ、尿路感染症等の合併症につながる場合がある。一方、尿細胞診は、非侵襲的であり、高い特異性（９０〜９５％）を有するが、感度（３０〜４０％）が低く、低悪性度腫瘍の検出が困難な場合がある。このため、低侵襲で正確に尿路上皮癌を検出できる技術が求められている。
【先行技術文献】
【非特許文献】
【０００６】
【非特許文献１】Kaufman D. S., et al., Bladder cancer., Lancet, 374 (9685), 239-249, 2009.
【発明の概要】
【発明が解決しようとする課題】
【０００７】
現在、日本で保険適用されている膀胱癌腫瘍マーカーには、Ｎｕｃｌｅａｒ  Ｍａｔｒｉｘ  Ｐｒｏｔｅｉｎ２２（ＮＭＰ２２）と尿中Ｂｌａｄｄｅｒ  Ｔｕｍｏｒ  Ａｎｔｉｇｅｎ（ＢＴＡ）の２種類が存在する。しかしながら、ＮＭＰ２２は炎症や尿路結石を有する患者で偽陽性を示す場合があり、尿中ＢＴＡは血尿による偽陽性を示す場合がある。
【０００８】
そこで、本発明は、尿路上皮癌を正確に検出できる技術を提供することを目的とする。
【課題を解決するための手段】
【０００９】
本発明は、以下の通りである。
（１）ＤＪ−１タンパク質に対する特異的結合物質を有効成分として含有する、尿路上皮癌診断薬。
（２）被検者由来の血清又は血漿を試料に用いるものである、（１）に記載の尿路上皮癌診断薬。
（３）逆相タンパク質アレイ用である、（１）又は（２）に記載の尿路上皮癌診断薬。
（４）被検者由来の生体試料を固相に固定する工程と、ＤＪ−１タンパク質に対する特異的結合物質を前記生体試料に接触させる工程と、前記生体試料に結合した前記特異的結合物質の量が対照と比較して多い場合に、前記生体試料は尿路上皮癌患者由来のものであると判定する工程と、を備える、生体試料の判定方法。
（５）前記生体試料は血清又は血漿である、（４）に記載の判定方法。
（６）膀胱癌患者の予後を予測する方法であって、前記患者由来の膀胱癌組織試料におけるＤＪ−１タンパク質の発現を検出する工程と、前記試料中の腫瘍細胞の核におけるＤＪ−１タンパク質の発現が、対照と比較して低下していた場合に、前記患者の予後が不良であると予測する工程と、を備える方法。
（７）前記予測する工程が、前記試料中の腫瘍細胞の核におけるＤＪ−１タンパク質の発現が、対照と比較して低下しており、且つ前記試料中の腫瘍細胞の細胞質におけるＤＪ−１タンパク質の発現が、対照と比較して増加していた場合に、前記患者の予後が不良であると予測する工程である、（６）に記載の方法。
【発明の効果】
【００１０】
本発明によれば、尿路上皮癌を正確に検出できる技術を提供することができる。
【図面の簡単な説明】
【００１１】
【図１】（ａ）〜（ｅ）は、実験例１における免疫組織化学染色の結果を示す写真である。（ａ）は正常尿路上皮の写真であり、（ｂ）〜（ｅ）は膀胱癌組織の写真である。
【図２】実験例１における予後解析の結果を示すグラフである。
【図３】（ａ）及び（ｂ）は、実験例２における免疫組織化学染色の結果を示す写真である。
【図４】実験例２における予後解析の結果を示すグラフである。
【図５】（ａ）〜（ｅ）は、実験例３において、逆相タンパク質アレイ法により、血清中のＤＪ−１タンパク質量を測定した結果を示す写真である。
【図６】（ａ）は、実験例３における、健常者及び全膀胱癌患者の各症例の血清中のＤＪ−１タンパク質量を示すグラフである。（ｂ）は、実験例３における、健常者及び全膀胱癌患者のＲＯＣ解析の結果を示すグラフである。（ｃ）は、実験例３における、尿路結石患者及び全膀胱癌患者の各症例の血清中のＤＪ−１タンパク質量を示すグラフである。（ｄ）は、実験例３における、尿路結石患者及び全膀胱癌患者のＲＯＣ解析の結果を示すグラフである。
【図７】図７（ａ）は、実験例３における、健常者及びｐＴａ／ｐＴ１患者の各症例の血清中のＤＪ−１タンパク質量を示すグラフである。（ｂ）は、実験例３における、健常者及びｐＴａ／ｐＴ１患者のＲＯＣ解析の結果を示すグラフである。（ｃ）は、実験例３における、尿路結石患者及びｐＴａ／ｐＴ１患者の各症例の血清中のＤＪ−１タンパク質量を示すグラフである。（ｄ）は、実験例３における、尿路結石患者及びｐＴａ／ｐＴ１患者のＲＯＣ解析の結果を示すグラフである。
【図８】（ａ）は、実験例３における、ｐＴａ患者及びｐＴ１患者の各症例の血清中のＤＪ−１タンパク質量を示すグラフである。（ｂ）は、実験例３における、男性及び女性の各症例の血清中のＤＪ−１タンパク質量を示すグラフである。（ｃ）は、実験例３における、６５歳以上及び６４歳以下の各症例の血清中のＤＪ−１タンパク質量を示すグラフである。（ｄ）は、実験例３における、組織学的異型度のＬｏｗ  Ｇｒａｄｅ及びＨｉｇｈ  Ｇｒａｄｅの各症例の血清中のＤＪ−１タンパク質量を示すグラフである。
【図９】実験例４における、細胞浸潤アッセイの結果を示すグラフである。
【図１０】（ａ）〜（ｄ）は、実験例５におけるＷｏｕｎｄ  Ｈｅａｌｉｎｇ  Ａｓｓａｙの結果を示す写真である。
【発明を実施するための形態】
【００１２】
［尿路上皮癌診断薬］
１実施形態において、本発明は、ＤＪ−１タンパク質に対する特異的結合物質を有効成分として含有する、尿路上皮癌診断薬を提供する。
【００１３】
ＤＪ−１タンパク質は、Ｐａｒｋｉｎｓｏｎ  ｄｉｓｅａｓｅ  ｐｒｏｔｅｉｎ  ７（ＰＡＲＫ７）とも呼ばれるものである。ヒトＤＪ−１タンパク質のＲｅｆＳｅｑ  ＩＤはＮＰ＿００１１１６８４９であり、マウスＤＪ−１タンパク質のＲｅｆＳｅｑ  ＩＤはＮＰ＿０６５５９４である。
【００１４】
実施例において後述するように、発明者らは、生体試料中のＤＪ−１タンパク質を検出することにより、尿路上皮癌を正確に検出できることを明らかにした。本実施形態の診断薬によれば、例えば、尿路結石患者の生体試料を用いた場合においても偽陽性を示すことがない。したがって、本実施形態の診断薬によれば、尿路上皮癌を正確に検出することができる。また、ＤＪ−１タンパク質又はＤＪ−１遺伝子は、尿路上皮癌マーカーであるということもできる。
【００１５】
また、実施例において後述するように、生体試料中のＤＪ−１タンパク質を検出することにより、治療可能な早期の尿路上皮癌であっても検出することができた。したがって、本実施形態の診断薬は早期診断用であるということもできる。本明細書において、「早期診断用」とは、ステージがｐＴａ又はｐＴ１である表在性尿路上皮癌を検出できることを意味する。なお、本明細書において、ステージがｐＴａ又はｐＴ１である表在性尿路上皮癌の患者を、ｐＴａ／ｐＴ１患者という場合がある。
【００１６】
ＤＪ−１タンパク質に対する特異的結合物質としては、抗体、抗体断片、アプタマー等が挙げられる。抗体は、例えば、マウス等の動物にＤＪ−１タンパク質又はその断片を抗原として免疫することによって作製することができる。あるいは、例えば、ファージライブラリーのスクリーニングにより作製することができる。抗体断片としては、Ｆｖ、Ｆａｂ、ｓｃＦｖ等が挙げられる。
【００１７】
抗ＤＪ−１抗体は、モノクローナル抗体であってもよく、ポリクローナル抗体であってもよい。また、市販の抗体であってもよい。
【００１８】
アプタマーとは、標的物質に対する特異的結合能を有する物質である。アプタマーとしては、核酸アプタマー、ペプチドアプタマー等が挙げられる。標的ペプチドに特異的結合能を有する核酸アプタマーは、例えば、ｓｙｓｔｅｍａｔｉｃ  ｅｖｏｌｕｔｉｏｎ  ｏｆ  ｌｉｇａｎｄ  ｂｙ  ｅｘｐｏｎｅｎｔｉａｌ  ｅｎｒｉｃｈｍｅｎｔ（ＳＥＬＥＸ）法等により選別することができる。また、標的ペプチドに特異的結合能を有するペプチドアプタマーは、例えば酵母を用いたＴｗｏ−ｈｙｂｒｉｄ法等により選別することができる。
【００１９】
本実施形態の尿路上皮癌診断薬は、被検者由来の血清、血漿又は組織を試料に用い、試料中のＤＪ−１タンパク質を検出するものであってもよい。血清又は血漿は低侵襲で採取可能な生体試料であるため、患者の負担が少なく、容易に尿路上皮癌に罹患しているか否かを診断することができる。
【００２０】
ＤＪ−１タンパク質の検出方法としては、サンドイッチＥＬＩＳＡ、ウエスタンブロット、逆相タンパク質アレイを用いた検出、免疫組織化学染色等が挙げられる。なお、逆相タンパク質アレイを用いた検出とは、試料を固相にアレイ状に固定し、特定物質に特異的な抗体等を反応させることにより、試料中の特定物質を検出する解析方法である。
【００２１】
実施例において後述するように、発明者らは、血清中のＤＪ−１タンパク質を定量することにより、尿路上皮癌を正確に診断できることを明らかにした。また、ステージがｐＴａ又はｐＴ１である早期の表在性尿路上皮癌も正確に診断することができた。
【００２２】
また、実施例において後述するように、尿路上皮癌の組織切片を免疫組織化学染色してＤＪ−１タンパク質の局在（核又は細胞質における発現量）を検出することにより、尿路上皮癌患者の予後を正確に予測することができた。したがって、本実施形態の尿路上皮癌診断薬は、予後予測用であるということもできる。
【００２３】
［生体試料の判定方法］
１実施形態において、本発明は、被検者由来の生体試料を固相に固定する工程（ａ）と、ＤＪ−１タンパク質に対する特異的結合物質を前記生体試料に接触させる工程（ｂ）と、前記生体試料に結合した前記特異的結合物質の量が対照と比較して多い場合に、前記生体試料は尿路上皮癌患者由来のものであると判定する工程（ｃ）と、を備える、生体試料の判定方法を提供する。
【００２４】
本実施形態の判定方法により、生体試料が尿路上皮癌患者由来のものであるか否かを判定することができる。すなわち、本実施形態の判定方法は、尿路上皮癌の診断方法であるということもできる。本実施形態の判定方法によれば、初期段階から尿路上皮癌を検出することができる。
【００２５】
本実施形態の判定方法において、生体試料は血清又は血漿であってもよい。血清又は血漿は低侵襲で採取可能な生体試料であるため、被検者の負担が少なく、被検者が尿路上皮癌に罹患しているか否かを容易に判定することができる。
【００２６】
［工程（ａ）］
本工程において、被検者由来の生体試料を固相に固定する。固相としては、スライドガラス、イムノプレート、膜、ビーズ等が挙げられる。固相は、タンパク質を吸着しやすいよう表面処理を施されていることが好ましい。
【００２７】
［工程（ｂ）］
本工程において、上記固相に固定した生体試料とＤＪ−１タンパク質に対する特異的結合物質とを接触させる。特異的結合物質としては上述したものが挙げられる。
【００２８】
［工程（ｃ）］
本工程において、生体試料に結合した特異的結合物質の量が対照と比較して多い場合に、生体試料は尿路上皮癌患者由来のものであると判定する。
【００２９】
特異的結合物質の量は、例えば、特異的結合物質を予め蛍光色素で標識しておき、当該蛍光色素が発する蛍光強度を測定することにより測定することができる。あるいは、特異的結合物質に、蛍光標識された二次抗体等を反応させ、当該蛍光色素が発する蛍光強度を測定することにより測定してもよい。また、上記の特異的結合物質又は二次抗体は、蛍光色素ではなく酵素で標識されており、当該酵素の基質を反応させて得られた反応物を測定する構成としてもよい。酵素としては、例えば、アルカリフォスファターゼ、セイヨウワサビペルオキシダーゼ等が挙げられる。
【００３０】
生体試料に結合した特異的結合物質の量は、例えば、段階希釈した既知濃度のＤＪ−１タンパク質等を基準に用いてＤＪ−１タンパク質の定量値に換算してもよい。
【００３１】
工程（ｃ）における対照としては、例えば健常人由来の生体試料が挙げられる。あるいは、予め健常人由来の生体試料中に存在するＤＪ−１タンパク質の量に基づいて基準値を設定しておき、当該基準値と比較してＤＪ−１タンパク質の量又は特異的結合物質の量が多い場合に、生体試料は尿路上皮癌患者由来のものであると判定してもよい。
【００３２】
［膀胱癌患者の予後を予測する方法］
１実施形態において、本発明は、膀胱癌患者の予後を予測する方法であって、前記患者由来の膀胱癌組織試料におけるＤＪ−１タンパク質の発現を検出する工程と、前記試料中の腫瘍細胞の核におけるＤＪ−１タンパク質の発現が、対照と比較して低下していた場合に、前記患者の予後が不良であると予測する工程と、を備える方法を提供する。
【００３３】
ＤＪ−１タンパク質の発現の検出は、核及び細胞質における発現量をそれぞれ区別できる方法であれば特に制限されず、例えば、免疫組織化学染色が挙げられる。
【００３４】
膀胱癌組織試料としては、外科的に摘出された膀胱癌組織、経尿道的膀胱腫瘍切除術（ＴＵＲ−ＢＴ）で得られた膀胱癌組織等が挙げられる。
【００３５】
実施例において後述するように、発明者らは、膀胱癌組織試料中の腫瘍細胞の核におけるＤＪ−１タンパク質の発現が、対照と比較して低下していた場合に、前記患者の予後が不良であることを明らかにした。したがって、本実施形態の方法により膀胱癌患者の予後を予測することができる。
【００３６】
対照としては、例えば、膀胱癌組織中に含まれる、正常尿路上皮細胞、末梢神経組織細胞、血管内皮細胞等が挙げられる。
【００３７】
本実施形態の方法において、上記の予測する工程は、前記試料中の腫瘍細胞の核におけるＤＪ−１タンパク質の発現が、対照と比較して低下しており、且つ前記試料中の腫瘍細胞の細胞質におけるＤＪ−１タンパク質の発現が、対照と比較して増加していた場合に、前記患者の予後が不良であると予測する工程であってもよい。
【００３８】
実施例において後述するように、発明者らは、膀胱癌組織試料中の腫瘍細胞の核におけるＤＪ−１タンパク質の発現が、対照と比較して低下しており、且つ前記試料中の腫瘍細胞の細胞質におけるＤＪ−１タンパク質の発現が、対照と比較して増加していた場合に、前記患者の予後が不良であることを明らかにした。
【実施例】
【００３９】
次に実験例を示して本発明をさらに詳細に説明するが、本発明は以下の実験例に限定されるものではない。
【００４０】
［材料および方法］
（膀胱癌組織）
北里大学病院において外科的に摘出された９２例の膀胱癌組織（以下、「膀胱癌外科組織」という場合がある。）と経尿道的膀胱腫瘍切除術（ＴＵＲ−ＢＴ）で得られた６０例のｐＴ１  Ｈｉｇｈ  Ｇｒａｄｅ（Ｇ３）の膀胱癌組織（以下、「Ｔ１  Ｇ３  ＴＵＲ−ＢＴ組織」という場合がある。）を用いた。それぞれの臨床病理学的因子について表１及び表２に示す。
【００４１】
【表１】
0006691337.tif 000002
【００４２】
【表２】
0006691337.tif 000003
【００４３】
（尿路上皮癌患者血清）
北里大学病院において採取された、１９２例の尿路上皮癌患者血清、並びに、非腫瘍性疾患として２０例の尿路結石患者血清及び１００例の健常者血清を用いた。用いた血清の内訳を表３に示す。
【００４４】
【表３】
0006691337.tif 000004
【００４５】
（免疫組織化学染色）
《免疫組織化学染色法》
１０％ホルマリン固定後パラフィン包埋された膀胱癌組織を厚さ３μｍに薄切した切片を用いて免疫組織化学染色を行った。
【００４６】
切片はキシレンで脱パラフィン後、下降エタノール系列で脱キシレンを行い、流水水洗した。その後、抗原性の賦活化のため、０．０１Ｍ  Ｔｒｉｓ（ｈｙｄｒｏｘｙｍｅｔｈｙｌ）ａｍｉｎｏｍｅｔｈａｎｅ−０．００１Ｍ  ＥＤＴＡ・２Ｎａ（Ｔｒｉｓ・ＥＤＴＡ溶液、ｐＨ９．０）に浸漬し、オートクレーブ中で１２１℃、１０分間熱処理後、室温放置した。次に、内因性ペルオキシダーゼ処理のため、３％過酸化水素水で室温、１０分間処理した。その後、１００ｍＭ  Ｔｒｉｓ−ＨＣｌ，１５０ｍＭ  ＮａＣｌ（トリス緩衝生食液（ＴＢＳ）、ｐＨ７．５）で洗浄し、一次抗体の非特異的反応を防ぐため、１Ｍ  Ｔｒｉｓ−ＨＣｌ，３００ｍＭ  ＮａＣｌ，０．５％  ｃａｓｅｉｎ（０．５％  ｃａｓｅｉｎ、ｐＨ７．５）を切片に滴下し、室温で１０分間ブロッキング処理を行った。
【００４７】
続いて、一次抗体として４，０００倍希釈した抗ＤＪ−１抗体（ＭＢＬ社）を切片に滴下し３７℃で２時間反応させた。続いて、ＴＢＳで５分間の洗浄を３回行った後、二次抗体としてＨＲＰ標識ポリマー試薬（型式「ＣｈｅｍＭａｔｅ  ＥＮＶＩＳＩＯＮ」、ＤＡＫＯ社）を室温で３０分間反応させた。続いて、ＴＢＳで５分間の洗浄を３回行った後、Ｓｔａｂｌｅ  ＤＡＢ溶液（Ｌｉｆｅ  Ｔｅｃｈｎｏｌｏｇｉｅｓ社）を用いて発色操作を行い、流水水洗後、マイヤーヘマトキシリン溶液で核染色を行った。
【００４８】
《免疫組織化学染色法の評価》
外科摘出組織中の腫瘍細胞の核の染色においては、同一症例中に含まれる正常尿路上皮、末梢神経組織又は血管内皮細胞の核の染色性をインターナルコントロールとし、コントロールと同程度又はより強い染色性を示す症例を発現陽性群（＋群）とした。また、コントロールよりも低い染色性又は染色性の消失を示す症例を発現陰性群（−群）とした。
【００４９】
腫瘍細胞の細胞質の染色については、染色強度の判定値（０：Ｎｅｇａｔｉｖｅ，１：Ｗｅａｋ，２：Ｍｏｄｅｒａｔｅ，３：Ｓｔｒｏｎｇ）と、腫瘍部分の細胞全体を１００％として、各判定値の細胞の割合を掛け合わせたものをそれぞれ合計し細胞質スコアとした。
【００５０】
全症例の細胞質スコアの平均値を算出し、平均値以上の症例を発現亢進群（＋群）とし、平均値未満の症例を発現陰性群（−群）とした。
【００５１】
Ｔ１  Ｇ３  ＴＵＲ−ＢＴ組織の評価においては、細胞質の染色性が評価困難な症例が多かったことから、核についてのみ染色性の評価を行った。末梢神経組織又は血管内皮細胞の核をインターナルコントロールとし、コントロールと同程度又はより強い染色性を示す症例を発現陽性群（＋群）とした。また、コントロールよりも低い染色性を示す症例を発現陰性群（−群）とした。
【００５２】
（逆相タンパク質アレイ（Ｒｅｖｅｒｓｅ−ｐｈａｓｅ  ｐｒｏｔｅｉｎ  ａｒｒａｙ、ＲＰＰＡ）法による解析）
《逆相タンパク質アレイ法》
膀胱癌患者血清、尿路結石患者血清、健常者血清をそれぞれ、０．０１％  Ｔｒｉｔｏｎ  Ｘ−１００／Ｄ−ＰＢＳ（−）を用いて１５倍希釈後、１症例につき４スポットずつ専用の装置（型式「ＶＰ４７８Ａ」、Ｖ＆Ｐ  Ｓｃｉｅｎｔｉｆｉｃ社）を用いてＲＰＰＡ用のスライドグラス（型式「ＤＮＡマイクロアレイ用コートスライドグラス」ＭＡＴＳＵＮＡＭＩ  ＧＬＡＳＳ社）にドットした。
【００５３】
また、コムギ胚芽無細胞系で作製したＤＪ−１タンパク質を段階希釈し、同様にドットし内部標準とした。血清のスライドグラスへの固相化のため、シリカゲルを入れたプラスチックトレイ中で室温、２日間乾燥させた。
【００５４】
その後、０．５％  ｃａｓｅｉｎ／０．０１％  Ｔｒｉｔｏｎ  Ｘ−１００／Ｄ−ＰＢＳ（−）を用いて３７℃で１時間ブロッキングを行った。続いて、ブロッキング液で１００倍希釈したマウス抗ＤＪ−１抗体（ＭＢＬ社）を一次抗体として４℃、一晩反応させた。その後、洗浄バッファー（０．０１％  Ｔｒｉｔｏｎ  Ｘ−１００／Ｄ−ＰＢＳ（−））で５分間、３回洗浄を行った後、二次抗体としてブロッキング液で１００倍希釈したビオチン標識ヤギ抗マウスＩｇＧ抗体（Ｖｅｃｔｏｒ  Ｌａｂｏｒａｔｏｒｉｅｓ社）を３７℃で１時間反応させた。
【００５５】
続いて、洗浄バッファーで５分間、３回洗浄を行った後、ブロッキング液で１０００倍希釈したセイヨウワサビペルオキシダーゼ標識ストレプトアビジン（ＧＥヘルスケア社）を３７℃で３０分間反応させた。その後、洗浄バッファーで５分間、３回洗浄を行った後、２００倍希釈したＣｙ５標識Ｔｙｒａｍｉｄｅ（パーキンエルマー社）を３７℃で２０分間反応させた。
【００５６】
続いて、洗浄バッファーで５分間、３回洗浄を行った後、ブロッキング液で２０００倍希釈したＡｌｅｘａ５４６標識ヤギ抗ヒトＩｇＧ抗体（Ｌｉｆｅ  Ｔｅｃｈｎｏｌｏｇｉｅｓ社）を３７℃で５分間反応させた。続いて、洗浄バッファーで５分間、３回洗浄を行い、更に超純水中で５分間、２回洗浄した後、７００ｒｐｍ、１０分間遠心して乾燥させ、アレイ用スキャナー（型式「ＧｅｎｅＰｉｘ  ４０００Ｂ」、Ｍｏｌｅｃｕｌａｒ  Ｄｅｖｉｃｅｓ社）を用いてシグナルの検出及び数値化を行った。
【００５７】
《シグナル値の標準化》
濃度既知のＤＪ−１タンパク質を段階希釈して得られた検量線において、希釈濃度０．３ｎｇ／μＬから１０ｎｇ／μＬの間で直線性が得られたため、アレイ用スキャナーにより得られた、ＤＪ−１タンパク質１ｎｇ／μＬにおける平均のシグナル値を計算し、それぞれの症例におけるシグナル値からＤＪ−１タンパク質の濃度を算出した。算出後、濃度が０．３ｎｇ／μＬ以下のものは測定限界であるとして０ｎｇ／μＬとした。また、１０ｎｇ／μＬを測定上限として、それ以上の症例は全て１０ｎｇ／μＬとした。
【００５８】
（ＤＪ−１特異的ｓｉＲＮＡを用いたＴ２４細胞株の機能解析）
《Ｔ２４細胞株へのＤＪ−１  ｓｉＲＮＡの導入》
膀胱癌由来細胞株Ｔ２４を、２４ウェルプレート（住友ベークライト株式会社）に細胞数が１．０×１０５個／ウェルとなるように播種し、１０％非動化ウシ胎児血清を添加したＲＰＭＩ−１６４０培地（和光純薬）で３７℃、５％ＣＯ２／９５％空気の条件下で２４時間培養した。
【００５９】
Ｏｐｔｉ−ＭＥＭ（商標）Ｒｅｄｕｃｅｄ  Ｓｅｒｕｍ  Ｍｅｄｉａ（Ｔｈｅｒｍｏ  Ｓｃｉｅｎｔｉｆｉｃ社）にＰＡＲＫ７（ＤＪ−１）ｇｅｎｅ  ｓｉＲＮＡ（ターゲット配列：ＴＧＣＧＡＣＧＡＴＣＡＣＴＴＡＧＡＧＡＡＡ、配列番号１）を、トランスフェクション時の濃度が２５０ｎＭとなるように加え、Ｏｐｔｉ−ＭＥＭ（商標）Ｒｅｄｕｃｅｄ  Ｓｅｒｕｍ  Ｍｅｄｉａ  中に２％量のＬｉｐｏｆｅｃｔａｍｉｎｅ（商標）ＲＮＡｉＭＡＸ（Ｔｈｅｒｍｏ  Ｓｃｉｅｎｔｉｆｉｃ社）を加えた溶液と混合し、室温で２０分間静置して複合体を形成させた。細胞をＤ−ＰＢＳ（−）で一回洗浄し、ｓｉＲＮＡ・Ｌｉｐｏｆｅｃｔａｍｉｎｅ複合体を加え、３７℃、５％ＣＯ２／９５％空気の条件下で２４時間培養しトランスフェクションを行った。また、ｓｉＲＮＡのトランスフェクションを行わずにＯｐｔｉ−ＭＥＭ（商標）Ｒｅｄｕｃｅｄ  Ｓｅｒｕｍ  Ｍｅｄｉａ培地を用い、同様の条件下で培養したＴ２４細胞株をコントロールとした。
【００６０】
《ＤＪ−１のノックダウンの確認》
ｓｉＲＮＡ導入群と未導入群の各細胞からタンパク質を抽出し、ＳＤＳ−ＰＡＧＥ及び免疫ブロット法により、ＤＪ−１をノックダウンできていることを確認した。
【００６１】
《細胞浸潤アッセイ》
２４ウェルプレートにＢＤ  Ｆａｌｃｏｎ  Ｃｅｌｌ  Ｃｕｌｔｕｒｅ  Ｉｎｓｅｒｔｓ（ＢＤバイオサイエンス社）を挿入し、Ｃｏｒｎｉｎｇ  Ｍａｔｒｉｇｅｌ基底膜マトリックス（Ｃｏｒｎｉｎｇ社）を入れ、２時間室温でコーティングした。
【００６２】
続いて、ｓｉＲＮＡ導入細胞と未導入細胞をそれぞれ２４ウェルプレートからトリプシンを用いて回収し、１０％非動化ウシ胎児血清を添加したＲＰＭＩ−１６４０培地を用い、５×１０４個／ウェルとなるようにＢＤ  Ｆａｌｃｏｎ  Ｃｅｌｌ  Ｃｕｌｔｕｒｅ  Ｉｎｓｅｒｔｓの中に入れた。ＢＤ  Ｆａｌｃｏｎ  Ｃｅｌｌ  Ｃｕｌｔｕｒｅ  Ｉｎｓｅｒｔｓの外にも同じ培地を入れ、３７℃、５％ＣＯ２／９５％空気の条件下で５時間培養した。培養後、綿棒でＢＤ  Ｆａｌｃｏｎ  Ｃｅｌｌ  Ｃｕｌｔｕｒｅ  Ｉｎｓｅｒｔｓ内の細胞を取り除き、浸潤細胞のみを４％パラホルムアルデヒド／ＰＢＳにより固定した後、エオジン染色を行い、顕微鏡により浸潤細胞数を算出した。この実験は、ｓｉＲＮＡ導入群３ウェル、未導入細胞群３ウェルの合計６ウェルについて行った。
【００６３】
《細胞浸潤アッセイの評価法》
ＢＤ  Ｆａｌｃｏｎ  Ｃｅｌｌ  Ｃｕｌｔｕｒｅ  Ｉｎｓｅｒｔｓの下面に浸潤した細胞数を、顕微鏡を用いて倍率２００倍で任意の５視野分数えて浸潤細胞数の平均を算出した。
【００６４】
《Ｗｏｕｎｄ  Ｈｅａｌｉｎｇ  Ａｓｓａｙ》
トランスフェクション後２４時間経過した、ＤＪ−１タンパク質の発現が抑制された細胞と未処理の細胞が入ったウェルを２００μＬのピペットチップで引っ掻いて細胞をはがし、一定幅の溝を作製した。その後２４時間培養し、実験開始直後（０時間）と２４時間後の溝の修復度合いをカメラで撮影し、評価した。
【００６５】
《統計解析》
免疫組織化学染色における臨床病理学的因子との関連性はカイ２乗検定により算出し、患者の予後に関しては全生存期間Ｏｖｅｒａｌｌ  Ｓｕｒｖｉｖａｌ（ＯＳ）と５年生存率について細胞内における染色性の違いに基づきＫａｐｌａｎ−Ｍｅｉｅｒ曲線を描き、Ｌｏｇ−ｒａｎｋ  ｔｅｓｔにより評価した。
【００６６】
逆相タンパク質アレイ法では、４重測定した各サンプルをコムギ胚芽無細胞系で作製したＤＪ−１タンパク質で標準化した値を用いて統計解析を行った。血中抗原量との関連は独立２群間ｔ検定により算出し、測定したＤＪ−１タンパク質の診断的有用性の評価にはＲｅｃｅｉｖｅｒ  Ｏｐｅｒａｔｉｎｇ  Ｃｈａｒａｃｔｅｒｉｓｔｉｃ（ＲＯＣ）解析を用い、Ａｒｅａ  Ｕｎｄｅｒ  ｔｈｅ  Ｃｕｒｖｅ（ＡＵＣ）を指標とした。
【００６７】
細胞浸潤アッセイは、ｓｉＲＮＡ導入群と未処理群の浸潤細胞数の平均を２群間ｔ検定を用いて解析した。Ｗｏｕｎｄ  Ｈｅａｌｉｎｇ  Ａｓｓａｙは、同一時間内での溝の修復割合をｓｉＲＮＡ導入群と未処理群間でｔ検定により解析した。統計解析の結果、ｐ＜０．０５を統計学的に有意であると判断した。
【００６８】
［実験例１］
（膀胱癌外科摘出組織の免疫組織化学染色）
膀胱癌外科摘出組織を免疫組織化学染色し、ＤＪ−１タンパク質の発現を検討した。図１（ａ）〜（ｅ）は、免疫組織化学染色の結果を示す写真である。図１（ａ）は正常尿路上皮の写真であり、図１（ｂ）〜（ｅ）は膀胱癌組織の写真である。スケールバーは５０μｍを示す。
【００６９】
その結果、図１（ａ）に示すように、ＤＪ−１タンパク質は、正常尿路上皮では核に強い発現がみられ、細胞質には発現がないかあっても弱い発現が認められた。一方、図１（ｂ）〜（ｅ）に示すように、膀胱癌組織におけるＤＪ−１タンパク質の発現には、核で発現が認められるが細胞質での発現は認められない症例（図１（ｂ））、核で発現が認められ細胞質での発現も認められる症例（図１（ｃ））、核で発現が認められず、細胞質でも発現が認められない症例（図１（ｄ））、核で発現が認められず細胞質で発現が認められる症例（図１（ｅ））の４パターンが認められた。
【００７０】
続いて、ＤＪ−１タンパク質の発現パターンと臨床病理学因子との関係を検討した。表４に結果を示す。その結果、核でＤＪ−１タンパク質の発現が低下し、細胞質で発現亢進が認められた、核（−）細胞質（＋）の症例群は、その他の発現パターンを示す症例群と比較して、有意に腫瘍ステージとの正の相関が認められた（ｐ＝０．０１９５）。また、年齢、性別、グレード、リンパ節転移、脈管侵襲、再発との間に明らかな相関は認められなかった。
【００７１】
【表４】
0006691337.tif 000005
【００７２】
続いて、核（−）細胞質（＋）の症例群とその他の症例群において予後解析を行った。図２は、予後解析の結果を示すグラフである。その結果、全生存期間（ＯＳ）において、核（−）細胞質（＋）の症例群は、その他の症例群と比較して、有意に予後不良であった（ｐ＝０．０４６９）。
【００７３】
［実験例２］
（Ｔ１  Ｇ３  ＴＵＲ−ＢＴ組織における免疫組織化学染色）
Ｔ１  Ｇ３  ＴＵＲ−ＢＴ組織を免疫組織化学染色し、ＤＪ−１タンパク質の発現を検討した。図３（ａ）及び（ｂ）は、免疫組織化学染色の結果を示す写真である。
【００７４】
その結果、Ｔ１  Ｇ３  ＴＵＲ−ＢＴ組織におけるＤＪ−１タンパク質の発現には、核で発現が認められない症例（図３（ａ））及び核で発現が認められる症例（図３（ｂ））の２パターンが認められた。
【００７５】
続いて、ＤＪ−１タンパク質の発現パターンと臨床病理学因子との関係を検討した。表５に結果を示す。その結果、核でＤＪ−１タンパク質の発現が低下した核（−）の症例群と、核でＤＪ−１タンパク質の発現が認められた核（＋）の症例群との間には、検討した全ての臨床病理学的因子との相関が認められなかった。
【００７６】
【表５】
0006691337.tif 000006
【００７７】
続いて、核（−）の症例群と核（＋）の症例群において予後解析を行った。図４は、予後解析の結果を示すグラフである。その結果、核（−）の症例群は、核（＋）の症例群と比較して、５年生存率で有意に予後不良であった（ｐ＝０．０２４）。
【００７８】
［実験例３］
（逆相タンパク質アレイ法による血中ＤＪ−１タンパク質量の測定）
続いて、健常者血清、尿路結石患者血清及び原発性膀胱癌患者血清中のＤＪ−１タンパク質量を逆相タンパク質アレイ法により測定した。
【００７９】
図５（ａ）〜（ｅ）は、逆相タンパク質アレイ法により、血清中のＤＪ−１タンパク質量を測定した結果を示す写真である。図５（ａ）及び（ｂ）には、健常者血清１００症例が１症例につき４スポットずつドットされている。また、図５（ｂ）の枠内には尿路結石患者血清２０症例が１症例につき４スポットずつドットされている。また、図５（ｃ）及び（ｄ）には、ｐＴａ／ｐＴ１患者血清１４７症例が１症例につき４スポットずつドットされている。また、図５（ｅ）には、ｐＴ２、ｐＴ３、ｐＴ４患者血清４５症例が１症例につき４スポットずつドットされている。また、図５（ａ）〜（ｅ）の右下の枠内には、濃度既知のＤＪ−１タンパク質の希釈系列が４スポットずつドットされている。図５（ａ）〜（ｅ）の結果をもとに各症例の血清中のＤＪ−１タンパク質量を定量化した。
【００８０】
図６（ａ）は、健常者及び全膀胱癌患者の各症例の血清中のＤＪ−１タンパク質量を示すグラフである。また、図６（ｂ）は、健常者及び全膀胱癌患者のＲＯＣ解析の結果を示すグラフである。また、図６（ｃ）は、尿路結石患者及び全膀胱癌患者の各症例の血清中のＤＪ−１タンパク質量を示すグラフである。また、図６（ｄ）は、尿路結石患者及び全膀胱癌患者のＲＯＣ解析の結果を示すグラフである。
【００８１】
その結果、ＤＪ−１タンパク質量は、健常者血清及び尿路結石患者血清では低いのに対し、膀胱癌患者血清では有意に高いことが明らかとなった（ｐ＜０．０００１）。
【００８２】
また、全膀胱癌患者血清と健常者血清、全膀胱癌患者血清と尿路結石患者血清のＲＯＣ解析の結果、健常者は、ＡＵＣ＝０．９０、カットオフ値１．１１ｎｇ／μＬの時、感度＝８６％、特異度＝８４％であった。また、尿路結石患者は、ＡＵＣ＝０．９１、カットオフ値１．１５ｎｇ／μＬの時、感度＝８６％、特異度＝８０％であった。以上の結果は、膀胱癌患者と、健常者又は尿路結石患者とを鑑別可能であることを示す。
【００８３】
続いて、膀胱癌患者のうち、ｐＴａ／ｐＴ１患者について同様の検討を行った。図７（ａ）は、健常者及びｐＴａ／ｐＴ１患者の各症例の血清中のＤＪ−１タンパク質量を示すグラフである。また、図７（ｂ）は、健常者及びｐＴａ／ｐＴ１患者のＲＯＣ解析の結果を示すグラフである。また、図７（ｃ）は、尿路結石患者及びｐＴａ／ｐＴ１患者の各症例の血清中のＤＪ−１タンパク質量を示すグラフである。また、図７（ｄ）は、尿路結石患者及びｐＴａ／ｐＴ１患者のＲＯＣ解析の結果を示すグラフである。
【００８４】
ｐＴａ／ｐＴ１患者血清と健常者血清、ｐＴａ／ｐＴ１患者血清と尿路結石患者血清のＲＯＣ解析の結果、健常者は、ＡＵＣ＝０．９３、カットオフ値１．２８ｎｇ／μＬの時、感度＝９０％、特異度＝８９％であった。また、尿路結石患者は、ＡＵＣ＝０．９４、カットオフ値１．４２ｎｇ／μＬの時、感度＝８５％、特異度＝９０％であった。以上の結果は、ｐＴａ／ｐＴ１患者と、健常者又は尿路結石患者とを鑑別可能であることを示す。
【００８５】
続いて、血中ＤＪ−１タンパク質量と臨床病理学的因子との関連を検討した。図８（ａ）〜（ｄ）は、検討結果を示すグラフである。図８（ａ）は、ｐＴａ患者及びｐＴ１患者の各症例の血清中のＤＪ−１タンパク質量を示すグラフである。図８（ｂ）は、男性及び女性の各症例の血清中のＤＪ−１タンパク質量を示すグラフである。図８（ｃ）は、６５歳以上及び６４歳以下の各症例の血清中のＤＪ−１タンパク質量を示すグラフである。図８（ｄ）は、組織学的異型度のＬｏｗ  Ｇｒａｄｅ及びＨｉｇｈ  Ｇｒａｄｅの各症例の血清中のＤＪ−１タンパク質量を示すグラフである。
【００８６】
その結果、血中ＤＪ−１タンパク質量と組織学的異型度との間に相関が認められ、Ｈｉｇｈ  Ｇｒａｄｅに比較してＬｏｗ  Ｇｒａｄｅで有意にＤＪ−１タンパク質量が高いことが明らかとなった（ｐ＝０．０２７２）。しかしながら、血中ＤＪ−１タンパク質量と、ステージ、性別及び年齢との間には、明らかな相関性は認められなかった。
【００８７】
［実験例４］
（ＤＪ−１特異的ｓｉＲＮＡを用いた細胞浸潤アッセイ）
Ｔ２４細胞株にＤＪ−１特異的ｓｉＲＮＡを導入し、細胞浸潤アッセイを行った。対照にはｓｉＲＮＡを導入していないＴ２４細胞株を用いた。
【００８８】
図９は、細胞浸潤アッセイの結果を示すグラフである。その結果、平均浸潤細胞数は、対照群で１６１．７個／１視野であったのに対し、ｓｉＲＮＡ導入群では９５．７個／１視野であり、ｓｉＲＮＡ導入群で浸潤細胞数が有意に減少したことが明らかとなった（ｐ＜０．０００５）。この結果は、ＤＪ−１をノックダウンすると、細胞の浸潤が抑制されることを示す。
【００８９】
［実験例５］
（ＤＪ−１特異的ｓｉＲＮＡを用いたＷｏｕｎｄ  Ｈｅａｌｉｎｇ  Ａｓｓａｙ）
Ｔ２４細胞株にＤＪ−１特異的ｓｉＲＮＡを導入し、Ｗｏｕｎｄ  Ｈｅａｌｉｎｇ  Ａｓｓａｙを行った。対照にはｓｉＲＮＡを導入していないＴ２４細胞株を用いた。
【００９０】
図１０（ａ）はｓｉＲＮＡ導入群の実験開始直後（０時間）の写真である。図１０（ｂ）はｓｉＲＮＡ導入群の２４時間後の写真である。図１０（ｃ）は対照群の実験開始直後（０時間）の写真である。図１０（ｄ）は対照群の２４時間後の写真である。図１０（ａ）〜（ｄ）においてスケールバーは８０μｍを示す。
【００９１】
その結果、ｓｉＲＮＡ導入群と対照群との間で有意な差は認められなかった。この結果は、ＤＪ−１をノックダウンしても、細胞の遊走能には影響がないことを示す。
【産業上の利用可能性】
【００９２】
本発明によれば、尿路上皮癌を正確に検出できる技術を提供することができる。
【図１】
0006691337.tif 000007
【図２】
0006691337.tif 000008
【図３】
0006691337.tif 000009
【図４】
0006691337.tif 000010
【図５】
0006691337.tif 000011
【図６】
0006691337.tif 000012
【図７】
0006691337.tif 000013
【図８】
0006691337.tif 000014
【図９】
0006691337.tif 000015
【図１０】
0006691337.tif 000016
【配列表】
0006691337000001.app